(57)【要約】【課題】  Ａ／Ｄ変換回路や演算増幅器を用いることなく、入力電圧の変化に応じて出力電圧を制御し、一定の範囲の安定したインバータの出力電圧を得ることを課題とする。【解決手段】  この発明のインバータの出力電圧補正装置は、発電機の出力周波数及び電圧を変換するインバータの主回路５に、前記主回路の電圧を分圧して取り出し、スイッチング素子の制御信号を出力する制御回路を設ける。前記制御回路は、分圧回路６と、この分圧回路で判別された電圧に対応した波形を形成する複数の波形形成回路８と、ドライブ回路９と、前記分圧回路と波形形成回路の間に介在し、波形形成回路を選択する切替回路７とを有するものとし、前記波形形成回路には特定の波形信号を記録して構成する。【選択図】 図１
2005341742.tif 000002
【特許請求の範囲】
【請求項１】
発電機の出力周波数及び電圧を変換するインバータの主回路に、前記主回路の電圧を分圧して取り出し、スイッチング素子の制御信号を出力する制御回路が設けられ、
前記制御回路は、分圧回路と、この分圧回路で判別された電圧に対応した波形を形成する複数の波形形成回路と、ドライブ回路と、前記分圧回路と波形形成回路の間に介在し、波形形成回路を選択する切替回路とで構成され、
前記波形形成回路には特定の波形信号が記録された、
インバータの出力電圧補正装置
【請求項２】
分圧回路は複数とし、波形形成回路の数は分圧回路の数と同数とした、請求項１記載のインバータの出力電圧補正装置
【請求項３】
分圧回路は、主回路の入力側に接続された、請求項１又は２に記載のインバータの出力電圧補正装置
【発明の詳細な説明】
【技術分野】
【０００１】
この発明は、発電機の出力周波数及び電圧を変換した交流を取り出すためのインバータにおける出力電圧補正装置に関するものである。
【背景技術】
【０００２】
この種のインバータにおいては、過負荷時に発電機出力電圧が低下した場合、及び低負荷時に発電機出力電圧が異常に高くなった場合に、インバータの出力電圧もそれに応じて大きく変化する。特に、インバータの出力電圧が異常に高くなると、使用機器の破損が生じるなどの問題があり、使用機器を保護するために、インバータの出力電圧の異常上昇を防止するためにインバータ出力電圧の補正が必要とされる。
【０００３】
従来は、発電機の出力電圧をＡ／Ｄコンバータによってデジタル変換し、デジタル信号を波形形成回路内の波形形成回路の演算回路に入力し、演算処理の上デジタル量に対応した波形をドライブ回路へ出力している（図４）。
【０００４】
しかしながら、このような回路構成においては、アナログ・デジタル変換のためのコンバータ（ＩＣ）を使用しなければならず、また演算回路における高速演算処理が要求され、コストアップの要因となっている。
【特許文献１】特許第３４２７９６５号
【０００５】
上記特許文献の発明は、系統連係時の電圧変動を少なくすることとを目的とし、インバータ装置の出力側に接続された系統母線の電圧検出器により負荷電圧を検出し、その検出信号に基づいてインバータ装置の出力電圧が一定となるように出力電圧指令を生成するようにしたもので、主として太陽電池の出力電圧の値によらず、負荷にかかる電圧を商用電圧に揃えるためのものである。
【発明の開示】
【発明が解決しようとする課題】
【０００６】
この発明は、Ａ／Ｄ変換回路や演算増幅器を用いることなく、入力電圧の変化に応じて出力電圧を制御し、一定の範囲の安定したインバータの出力電圧を得ることを課題とするものである。
【課題を解決するための手段】
【０００７】
この発明のインバータの出力電圧補正装置は、発電機の出力周波数及び電圧を変換するインバータの主回路に、前記主回路の電圧を分圧して取り出し、スイッチング素子の制御信号を出力する制御回路を設ける。前記制御回路は、分圧回路と、この分圧回路で判別された電圧に対応した波形を形成する複数の波形形成回路と、ドライブ回路と、前記分圧回路と波形形成回路の間に介在し、波形形成回路を選択する切替回路とを有するものとし、前記波形形成回路には特定の波形信号を記録して構成する。
請求項２の発明は、前記分圧回路は複数とし、波形形成回路の数は分圧回路の数と同数としたもので、多段階の制御が可能である。
前記分圧回路は、主回路の入力側、出力側のいずれに接続することもできる。
【発明の効果】
【０００８】
請求項１の発明によれば、分圧回路により発電機の出力電圧が検出される。ここで検出された電圧値が切替回路に入力され、切替回路において電圧状態が判別され、それぞれの状態に対応した波形形成回路に信号が出力され、対応した波形形成回路において、その波形形成回路に予め記録された波形信号がドライブ回路へ出力される。前記電圧状態の判別は、切替回路の演算素子又は切替回路に設定されたしきい値（電圧）との比較により行われる。
したがって、発電機の出力電圧の状態に対応してスイッチング素子は制御され、所定範囲内の出力電圧が出力される。
請求項２の発明によれば、分圧回路を複数介在させているので、発電機の出力電圧を複数のレベルに分けることが可能となる。そして分圧回路の数と同じ数の波形形成回路を介在させてあるので、分圧回路で判別された複数の電圧レベルに対応した波形形成回路から波形信号がドライブ回路へ出力されることとなり、細かな電圧補正が可能となる。
【発明を実施するための最良の形態】
【０００９】
図１はこの発明におけるインバータの回路を示すものである。
発電機（図示しない）の出力が入力される入力端子１，整流器２，スイッチング素子３，出力端子４で主回路５が構成してあり、前記主回路５の整流器２とスイッチング素子３の間において、分圧回路６が分岐している。
前記分圧回路６は、３つの分圧回路６ａ，６ｂ，６ｃが並列に組み込まれており、各分圧回路は抵抗値の異なる抵抗を有するものとしてある。
【００１０】
前記各分圧回路６ａ，６ｂ，６ｃは切替回路７に接続してあり、切替回路７には３つの波形形成回路８ａ,８ｂ，８ｃよりなる波形形成回路８が接続してあり、前記各波形形成回路はドライブ回路９に接続してあり、ドライブ回路９はスイッチング素子３に接続してある。
【００１１】
前記切替回路７は、前記分圧回路６で検出された発電機の出力電圧に対応した波形形成回路に信号を出力するものであり、二つのしきい値が記録されている。そして、分圧回路６で検出された出力電圧が第一のしきい値よりも低いときには第一の波形形成回路８ａへ、出力電圧が第一のしきい値と第二のしきい値との間にあるとき（すなわち出力電圧が所定電圧範囲にあるとき）は第二の波形形成回路８ｂへ、出力電圧が第二のしきい値よりも高いときには第三の波形形成回路８ｃへ、それぞれ信号を出力する。
【００１２】
前記波形形成回路８を構成する第一ないし第三の波形形成回路には、それぞれ自己が担当する発電機の出力電圧に対応した波形データが予め組み込まれている。
【００１３】
上記のように構成された出力電圧補正装置の作用を図２を参照しつつ説明すると以下のとおりである。
発電機からの入力電圧は、分圧回路６で検出され、切替回路７において前記検出された電圧値と切替回路に設定されたしきい値とがアナログ数値として比較される。比較の結果、切替回路７においていずれの波形形成回路の設定が対応しているかが判別され、対応する一つの波形形成回路に信号が出力される。
信号を受けた波形形成回路においては、予め組み込まれた波形データがドライブ回路へ出力され、スイッチング素子３が制御される。
その結果、発電機の入力電圧の変化に関わらず、一定範囲の電圧が出力端子４から出力される。
すなわち、発電機の負荷の変動により発電機からの入力電圧が極端に高くなった場合においても、出力電圧は一定の範囲に収まり、使用機器を損傷するおそれがない。
【００１４】
図３は分圧回路６を１つの回路とし、波形形成回路８を二つの回路８ａ，８ｂで構成したものである。この構成においては、分圧回路での検出電圧が切替回路７のしきい値よりも小さいときには第一の波形形成回路８ａへ、しきい値よりも大きいときには第二の波形形成回路８ｂへ、それぞれ信号を出力する。
【産業上の利用可能性】
【００１５】
この発明によれば、簡易かつ低コストの構成により、発電機の電圧変動に拘わらず一定の範囲の出力電圧を得ることができるものであり、使用機器の破損防止に寄与するものである。
【図面の簡単な説明】
【００１６】
【図１】この発明実施形態のブロック図
【図２】同じく手順を示す図
【図３】同じく別の実施形態のブロック図
【図４】従来例のブロック図
【符号の説明】
【００１７】
１    入力端子
２    整流器
３    スイッチング素子
４    出力端子
５    主回路
６    分圧回路
７    切替回路
８    波形形成回路
９    ドライブ回路
【図１】
2005341742.tif 000003
【図２】
2005341742.tif 000004
【図３】
2005341742.tif 000005
【図４】
2005341742.tif 000006